(57)【要約】      （修正有）【課題】忙しくてジムに通えない人に食事やトレーニングの専門家によるアドバイスを容易に提供する。【解決手段】管理サーバ２００は、オーナー端末１００と自転車端末１２０がリンクしている状態で走行させた自転車の移動経路を含む情報から行動パターンを解析する行動パターン解析部２２０と、行動パターン結果を記憶する行動パターン記憶部２２１と、行動パターン結果および有用情報候補から有用情報を検索する有用情報検索部２３０と、有用情報検索部２３０が検索した検索結果および行動パターン記憶部２２１が記憶した有用情報候補から有用情報を生成および記憶する有用情報記憶部２４０と、有用情報記憶部２４０が記憶した有用情報から有用情報音声および有用情報画面を生成し、オーナー端末１００に有用情報音声を再生および有用情報画面を表示させる有用情報提供部２５０と、を有する。【選択図】図１
2020201814.tif 000002
【特許請求の範囲】
【請求項１】
オーナー端末と、自転車端末と、前記オーナー端末および自転車端末とネットワークを介して無線通信接続される管理サーバとを有する自転車情報提供システムであって、
前記管理サーバは、前記オーナー端末と前記自転車端末がリンクしている状態で走行させた自転車の移動経路を含む情報から行動パターンを解析する行動パターン解析部を有し、
前記管理サーバは、前記行動パターン解析部が解析した行動パターン結果を記憶する行動パターン記憶部を有し、
前記管理サーバは、前記行動パターン記憶部が記憶した行動パターン結果および有用情報候補から有用情報を検索する有用情報検索部を有し、
前記管理サーバは、前記有用情報検索部が検索した検索結果および前記行動パターン記憶部が記憶した有用情報候補から有用情報を生成および記憶する有用情報記憶部を有し、
前記管理サーバは、前記有用情報記憶部が記憶した有用情報から有用情報音声および有用情報画面を生成し、オーナー端末に前記有用情報音声を再生および前記有用情報画面を表示させる有用情報提供部を有する、
自転車情報提供システム。
【請求項２】
請求項１に記載の自転車情報提供システムにおいて、
前記管理サーバは、前記オーナー端末からオーナー情報を取得および記憶するオーナー情報記憶部を有し、
前記管理サーバは、前記オーナー端末から端末位置情報を取得および記憶する端末位置情報記憶部を有し、
前記管理サーバは、前記自転車端末から自転車情報を取得および記憶する自転車情報記憶部を有し、
前記管理サーバは、前記自転車端末から自転車位置情報を取得および記憶する自転車位置情報記憶部を有する、
自転車情報提供システム。
【請求項３】
請求項１に記載の自転車情報提供システムにおいて、
前記管理サーバは、前記行動パターン記憶部が記憶した行動パターン結果から盗難情報音声および盗難情報画面を生成し、オーナー端末に前記盗難情報音声を再生および前記盗難情報画面を表示させる盗難情報提供部を有する、
自転車情報提供システム。
【発明の詳細な説明】
【技術分野】
【０００１】
本発明は、自転車情報提供システムに関する。
【背景技術】
【０００２】
従来、自転車への乗降車の際、スマートフォン等とのリンクによる連携は手動で行う必要があり、自転車距離などの活動データを正確に、また効率的に計測することができなかった。
【０００３】
また、例えば、忙しくてジムに通えない人は食事やトレーニングのアドバイスを専門家から容易に入手することができなかった。
【先行技術文献】
【特許文献】
【０００４】
【特許文献１】特開２００４−３５９１８３号公報
【発明の概要】
【発明が解決しようとする課題】
【０００５】
本発明の目的は、自転車とスマートフォン等のオーナー端末をｂｌｕｅｔｏｏｔｈ（登録商標）などによって自動的にリンクさせることで「自転車乗車中」と「自転車降車中」とを判別し、自転車乗車距離や経路パターンなどのデータを計測および蓄積して、インターネットや人工知能と連携させることで、例えば「忙しくてジムに通えない人に食事やトレーニングの専門家によるアドバイスを容易に提供すること」等の有用情報の提供が可能な技術を提供することである。
【課題を解決するための手段】
【０００６】
本願において開示される発明のうち、代表的なものの概要を簡単に説明すれば、次の通りである。
【０００７】
本発明の一実施の形態の自転車情報提供システムは、オーナー端末と、自転車端末と、前記オーナー端末および自転車端末とネットワークを介して無線通信接続される管理サーバとを有する自転車情報提供システムであって、前記管理サーバは、前記オーナー端末と前記自転車端末がリンクしている状態で走行させた自転車の移動経路を含む情報から行動パターンを解析する行動パターン解析部を有し、前記管理サーバは、前記行動パターン解析部が解析した行動パターン結果を記憶する行動パターン記憶部を有し、前記管理サーバは、前記行動パターン記憶部が記憶した行動パターン結果および有用情報候補から有用情報を検索する有用情報検索部を有し、前記管理サーバは、前記有用情報検索部が検索した検索結果および前記行動パターン記憶部が記憶した有用情報候補から有用情報を生成および記憶する有用情報記憶部を有し、前記管理サーバは、前記有用情報記憶部が記憶した有用情報から有用情報音声および有用情報画面を生成し、オーナー端末に前記有用情報音声を再生および前記有用情報画面を表示させる有用情報提供部を有する。
【発明の効果】
【０００８】
本願において開示される発明のうち、代表的なものによって得られる効果を簡単に説明すれば以下のとおりである。
本発明の代表的な実施の形態によれば、容易に例えば「忙しくてジムに通えない人に食事やトレーニングの専門家によるアドバイスを容易に提供すること」等の有用情報の提供をすることができる。
【図面の簡単な説明】
【０００９】
【図１】本発明の一実施の形態における自転車情報提供システムの構成例の概要を示す図である。
【図２】本発明の一実施の形態における全体処理の概要を示す図である。
【図３】本発明の一実施の形態における管理サーバのオーナー情報記憶部に記憶されているオーナー情報と、端末位置情報記憶部に記憶されている端末位置情報の、構成例の概要を示す図である。
【図４】本発明の一実施の形態における管理サーバの自転車情報記憶部に記憶されている自転車情報と、自転車位置情報記憶部に記憶されている自転車位置情報の、構成例の概要を示す図である。
【図５】本発明の一実施の形態におけるオーナー端末と自転車端末がリンクされている様子を示す概要図である。
【図６】本発明の一実施の形態におけるオーナー情報記憶処理および端末位置情報記憶処理の概要を示す図である。
【図７】本発明の一実施の形態における自転車情報記憶処理および自転車位置情報記憶処理の概要を示す図である。
【図８】本発明の一実施の形態における行動パターン解析処理の概要を示す図である。
【図９】本発明の一実施の形態における行動パターン記憶処理の概要を示す図である。
【図１０】本発明の一実施の形態における行動パターン結果の構成例の概要を示す図である。
【図１１】本発明の一実施の形態における有用情報検索処理の概要を示す図である。
【図１２】本発明の一実施の形態における有用情報記憶処理の概要を示す図である。
【図１３】本発明の一実施の形態における有用情報提供処理の概要を示す図である。
【図１４】本発明の一実施の形態におけるオーナー端末に有用情報画面が表示されている様子を示す概要図である。
【図１５】本発明の一実施の形態における盗難情報提供処理の概要を示す図である。
【図１６】本発明の一実施の形態におけるオーナー端末に盗難情報画面が表示されている様子を示す概要図である。
【発明を実施するための形態】
【００１０】
以下、本発明の実施の形態を図面に基づいて詳細に説明する。なお、実施の形態を説明するための全図において、同一部には原則として同一の符号を付し、その繰り返しの説明は省略する。
＜全体構成＞
【００１１】
図１は、本発明の一実施の形態における自転車情報提供システムの構成例の概要を示す図である。図１に示されるように、自転車情報提供システムは、オーナー端末１００と、自転車端末１２０と、オーナー端末１００と自転車端末１２０とネットワークを介して接続される管理サーバ２００とを有する。
【００１２】
管理サーバ２００は、オーナー情報記憶部２１１と、端末位置情報記憶部２１２と、自転車情報記憶部２１３と、自転車位置情報記憶部２１４と、行動パターン解析部２２０と、行動パターン記憶部２２１と、有用情報検索部２３０と、インターネット２３１と、有用情報記憶部２４０と、有用情報提供部２５０と、盗難情報提供部２６０とを有する。
【００１３】
オーナー情報記憶部２１１には、オーナー端末１００から取得されるオーナー情報３００（詳細は後述する）が記憶されている。端末位置情報記憶部２１２には、オーナー端末１００から取得される端末位置情報３１０（詳細は後述する）が記憶されている。
【００１４】
自転車情報記憶部２１３には、自転車端末１２０から取得される自転車情報４００（詳細は後述する）が記憶されている。自転車位置情報記憶部２１４には、自転車端末１２０から取得される自転車位置情報４１０（詳細は後述する）が記憶されている。
【００１５】
管理サーバ２００は、ｗｉｆｉ（登録商標）またはｂｌｕｅｔｏｏｔｈ（登録商標）に対応するＯＳを構成する。また、管理サーバ２００が構成するＯＳは、Ｗｉｎｄｏｗｓ（登録商標）、ｉＯＳ、Ａｎｄｒｏｉｄ（登録商標）等に対応する。また、管理サーバ２００はクラウド上で管理できる。また、管理サーバ２００は人工衛生１４０からＧＰＳによる位置に関する情報の信号を受け付ける。これにより、管理サーバ２００は、２４時間稼働でき、オーナー端末１００がどの場所に居てもオーナー端末１００の操作を受け付ける。
＜全体処理＞
図２は、本発明の一実施の形態における全体処理の概要を示す図である。
【００１６】
まず、Ｓ２０１にて、管理サーバ２００はオーナー情報記憶処理（図６（ａ）で後述する）を行う。次に、Ｓ２０２にて、管理サーバ２００は端末位置情報記憶処理（図６（ｂ）で後述する）を行う。次に、Ｓ２０３にて、管理サーバ２００は自転車情報記憶処理（図７（ａ）で後述する）を行う。次に、Ｓ２０４にて、管理サーバ２００は自転車位置情報記憶処理（図７（ｂ）で後述する）を行う。
【００１７】
次に、Ｓ２０５にて、管理サーバ２００は行動パターン解析処理（図８で後述する）を行う。次に、Ｓ２０６にて、管理サーバ２００は行動パターン記憶処理（図９で後述する）を行う。
【００１８】
次に、Ｓ２０７にて、管理サーバ２００は有用情報検索処理（図１１で後述する）を行う。次に、Ｓ２０８にて、管理サーバ２００は有用情報記憶処理（図１２で後述する）を行う。次に、Ｓ２０９にて、管理サーバ２００は有用情報提供処理（図１３で後述する）を行う。次に、Ｓ２１０にて、管理サーバ２００は盗難情報提供処理（図１５で後述する）を行う。
＜オーナー情報記憶部＞
【００１９】
図３（ａ）は、本発明の一実施の形態における管理サーバ２００のオーナー情報記憶部２１１に記憶されているオーナー情報３００の構成例の概要を示す図である。図３（ａ）に示されるように、オーナー情報３００は、オーナーＩＤと、氏名と、メールアドレスと、自転車ＩＤと、端末位置情報３１０などのデータ項目により構成される。なお、オーナーＩＤは家族ごと（例えば代表者一人）で登録してもよい。これにより、本発明に係る自転車情報提供システムは、複数の家族にシェアして利用させることを実現できる。
【００２０】
オーナーＩＤは、オーナーを識別するための符号を示す。氏名は、オーナーの氏名を示す。メールアドレスは、オーナーのメールアドレスを示す。自転車ＩＤは、オーナーが登録している自転車を識別するための符号を示す。
＜端末位置情報記憶部＞
図３（ｂ）は、本発明の一実施の形態における管理サーバ２００の端末位置情報記憶部２１２に記憶されている端末位置情報３１０の構成例の概要を示す図である。図３（ｂ）に示されるように、端末位置情報３１０は、オーナーＩＤと、自転車ＩＤと、日程と時刻と、リンク状態と、端末位置などのデータ項目により構成される。
【００２１】
日程と時刻は、管理サーバ２００が、オーナー端末１００から情報を取得した時点の日程と時刻を示す。リンク状態は、オーナー端末１００と、自転車端末１２０がリンクしているか否かを識別するための情報を示す。端末位置は、オーナー端末１００が内蔵するＧＰＳにより人工衛星１４０によって計測および送信された緯度と経度の情報を示す。
＜自転車情報記憶部＞
【００２２】
図４（ａ）は、本発明の一実施の形態における管理サーバ２００の自転車情報記憶部２１３に記憶されている自転車情報４００の構成例の概要を示す図である。図４（ａ）に示されるように、自転車情報４００は、自転車ＩＤと、総走行距離と、オーナーＩＤと、自転車位置情報４１０などのデータ項目により構成される。
【００２３】
自転車ＩＤは、オーナーが登録している自転車を識別するための符号を示す。総走行距離は、自転車が走行した距離の累積距離を示す。オーナーＩＤは、オーナーを識別するための符号を示す。
＜自転車位置情報記憶部＞
図４（ｂ）は、本発明の一実施の形態における管理サーバ２００の自転車位置情報記憶部２１４に記憶されている自転車位置情報４１０の構成例の概要を示す図である。図４（ｂ）に示されるように、自転車位置情報４１０は、自転車ＩＤと、オーナーＩＤと、日程と時刻と、リンク状態と、自転車位置などのデータ項目により構成される。
【００２４】
日程と時刻は、管理サーバ２００が、自転車端末１２０から情報を取得した時点の日程と時刻を示す。リンク状態は、自転車端末１２０と、オーナー端末１００がリンクしているか否かを識別するための情報を示す。自転車位置は、自転車端末１２０が内蔵するＧＰＳにより人工衛星１４０によって計測および送信された緯度と経度の情報を示す。
＜リンクについて＞
図５は、本発明の一実施の形態におけるオーナー端末１００と自転車端末１２０がリンクされている様子を示す概要図である。図５に示されるように、オーナー１１０は、オーナー端末１００を、自転車１３０が備える自転車端末１２０から所定の距離以内に近づかせた時に、オーナー端末１００を自転車端末１２０と自動的にリンクさせる。例えば、ｂｌｕｅｔｏｏｔｈ（登録商標）による接続により初期設定することで、２回目以降の接続を自動化させる。なお、所定の距離とは、例えば自転車端末１２０から５ｍとする。
【００２５】
このように、オーナー端末１００と自転車端末１２０とを自動的にリンク接続させることによって、オーナー１１０が自転車１３０へ乗降車する際、オーナー端末１００とのリンクによる連携を手動で行う必要がなく、自転車距離などの活動データを正確に、また効率的に計測することができる。
＜オーナー情報記憶処理＞
図６（ａ）は、本発明の一実施の形態におけるオーナー情報記憶処理の概要を示す図である。以下、管理サーバ２００が、オーナー情報３００を記憶する方法について説明する。
【００２６】
まず、Ｓ６０１にて、オーナー端末１００の入力部は、オーナー情報３００の入力をオーナー１１０から受け付ける。その後、Ｓ６０２にて、オーナー端末１００は、オーナー情報３００を管理サーバ２００に送信する。
【００２７】
その後、Ｓ６０３にて、管理サーバ２００は、受信したオーナー情報３００にオーナーＩＤを付して、Ｓ６０１にて入力を受け付けたオーナー情報３００をオーナー情報記憶部２１１に記憶させる。
＜端末位置情報記憶処理＞
図６（ｂ）は、本発明の一実施の形態における端末位置情報記憶処理の概要を示す図である。以下、管理サーバ２００が、端末位置情報３１０を記憶する方法について説明する。
【００２８】
まず、Ｓ６０４にて、人工衛星１４０は、緯度と経度の情報をＧＰＳによりオーナー端末１００に送信する。次に、Ｓ６０５にて、オーナー端末１００は、緯度と経度の情報をＧＰＳにより人工衛星１４０から受け付けることにより端末位置情報３１０を生成する。その後、Ｓ６０６にて、オーナー端末１００は、Ｓ６０５で生成した端末位置情報３１０を管理サーバ２００に送信する。
【００２９】
その後、Ｓ６０７にて、管理サーバ２００は、受信した端末位置情報３１０にオーナーＩＤを付して、Ｓ６０５にて生成した端末位置情報３１０を端末位置情報記憶部２１２に記憶させる。
＜自転車情報記憶処理＞
図７（ａ）は、本発明の一実施の形態における自転車情報記憶処理の概要を示す図である。以下、管理サーバ２００が、自転車情報４００を記憶する方法について説明する。
【００３０】
まず、Ｓ７０１にて、オーナー端末１００の入力部は、自転車情報４００の入力をオーナー１１０から受け付ける。その後、Ｓ７０２にて、オーナー端末１００は、自転車情報４００を自転車端末１２０にリンク接続により送信する。
【００３１】
次に、Ｓ７０３にて、自転車端末１２０は、自転車情報４００をオーナー端末１００から受信する。その後、Ｓ７０４にて、自転車端末１２０は、自転車情報４００を管理サーバ２００に送信する。
【００３２】
その後、Ｓ７０５にて、管理サーバ２００は、受信した自転車情報４００に自転車ＩＤを付して、Ｓ７０１にて入力を受け付けた自転車情報４００を自転車情報記憶部２１３に記憶させる。
＜自転車位置情報記憶処理＞
図７（ｂ）は、本発明の一実施の形態における自転車位置情報記憶処理の概要を示す図である。以下、管理サーバ２００が、自転車位置情報４１０を記憶する方法について説明する。
【００３３】
まず、Ｓ７０６にて、人工衛星１４０は、緯度と経度の情報をＧＰＳにより自転車端末１２０に送信する。次に、Ｓ７０７にて、自転車端末１２０は、緯度と経度の情報をＧＰＳにより人工衛星１４０から受け付けることにより自転車位置情報４１０を生成する。その後、Ｓ７０８にて、自転車端末１２０は、Ｓ７０７で生成した自転車位置情報４１０を管理サーバ２００に送信する。
【００３４】
その後、Ｓ７０９にて、管理サーバ２００は、受信した自転車位置情報４１０に自転車ＩＤを付して、Ｓ７０７にて生成した自転車位置情報４１０を自転車位置情報記憶部２１４に記憶させる。
＜行動パターン解析処理＞
図８は、本発明の一実施の形態における行動パターン解析処理の概要を示す図である。管理サーバ２００が、行動パターンを解析する方法について説明する。
【００３５】
まず、Ｓ８０１にて、管理サーバ２００に含まれる行動パターン解析部２２０は、端末位置情報記憶部２１２から端末位置情報３１０と、自転車位置情報記憶部２１４から自転車位置情報４１０とを、それぞれ取得する。
【００３６】
次に、Ｓ８０２にて、管理サーバ２００は、オーナー端末１００と自転車端末１２０とがリンク接続されているか否かを確認する。リンク状態がＯｎの時は、管理サーバ２００はＳ８０３の工程へ進行する。リンク状態がＯｆｆの時は、管理サーバ２００はＳ８０５の工程へ進行する。
【００３７】
Ｓ８０２で管理サーバ２００が、オーナー端末１００と自転車端末１２０とがリンク接続されていると確認した場合、Ｓ８０３にて、管理サーバ２００に含まれる行動パターン解析部２２０は、自転車位置情報４１０により経路測定を開始し、行動パターン結果９００を生成する。行動パターン結果９００の詳細および行動パターン結果９００の生成の具体的な方法については後述する。
【００３８】
次に、Ｓ８０４にて、管理サーバ２００に含まれる行動パターン解析部２２０は、自転車位置情報４１０により経路測定を開始し、有用情報候補１０００を生成する。有用情報候補１０００の詳細および有用情報候補１０００の生成の具体的な方法については後述する。
【００３９】
他方、Ｓ８０２で管理サーバ２００が、オーナー端末１００と自転車端末１２０とがリンク接続されていないと確認した場合、Ｓ８０５にて、管理サーバ２００に含まれる行動パターン解析部２２０は、端末位置情報３１０と自転車位置情報４１０の両者の最新の位置（緯度、経度）を比較する。
【００４０】
その後、Ｓ８０６にて、管理サーバ２００は、端末位置情報３１０と自転車位置情報４１０の両者の最新の位置（緯度、経度）を比較した結果が同一であるか否かを確認する。比較した結果が同一である時は、管理サーバ２００はＳ８０７の工程へ進行する。比較した結果が同一でない時は、管理サーバ２００はＳ８０９の工程へ進行する。
【００４１】
Ｓ８０６で管理サーバ２００が、端末位置情報３１０と自転車位置情報４１０の両者の最新の位置（緯度、経度）を比較した結果が同一であると確認した場合、Ｓ８０７にて、管理サーバ２００に含まれる行動パターン解析部２２０は、自転車位置情報４１０により経路測定を開始し、行動パターン結果９００を生成する。行動パターン結果９００の詳細および行動パターン結果９００の生成の具体的な方法については後述する。
【００４２】
次に、Ｓ８０８にて、管理サーバ２００に含まれる行動パターン解析部２２０は、自転車位置情報４１０により経路測定を開始し、有用情報候補１０００を生成する。有用情報候補１０００の詳細および有用情報候補１０００の生成の具体的な方法については後述する。
【００４３】
他方、Ｓ８０６で管理サーバ２００が、端末位置情報３１０と自転車位置情報４１０の両者の最新の位置（緯度、経度）を比較した結果が同一でないと確認した場合、Ｓ８０９にて、管理サーバ２００に含まれる行動パターン解析部２２０は、盗難可能性を「有」と更新して、行動パターン結果９００を生成する。
＜行動パターン記憶処理＞
図９は、本発明の一実施の形態における行動パターン記憶処理の概要を示す図である。管理サーバ２００が、行動パターンを記憶する方法について説明する。
【００４４】
まず、Ｓ９０１にて、管理サーバ２００に含まれる行動パターン解析部２２０は、Ｓ８０３で行動パターン解析部２２０が生成した行動パターン結果９００を、行動パターン記憶部２２１に提供する。次に、Ｓ９０２にて、管理サーバ２００に含まれる行動パターン解析部２２０は、Ｓ８０４で行動パターン解析部２２０が生成した有用情報候補１０００を、行動パターン記憶部２２１に提供する。
【００４５】
次に、Ｓ９０３にて、管理サーバ２００に含まれる行動パターン記憶部２２１は、Ｓ９０１で行動パターン解析部２２０から提供された行動パターン結果９００と、Ｓ９０２で行動パターン解析部２２０から提供された有用情報候補１０００とを記憶する。
【００４６】
その後、Ｓ９０４にて、管理サーバ２００は、行動パターン結果９００に含まれる盗難可能性が「有」であるか否かを確認する。盗難可能性が「有」である時は、管理サーバ２００は盗難情報提供処理Ｓ２１０の工程へ進行する。盗難可能性が「有」でない時は、管理サーバ２００は有用情報検索処理Ｓ２０７の工程へ進行する。
＜行動パターン結果＞
図１０は、本発明の一実施の形態における行動パターン結果９００の構成例の概要を示す図である。行動パターン解析部２２０が、行動パターン結果９００を生成する方法について説明する。
【００４７】
図１０（ａ）は、行動パターン結果９００の構成例のうちＧＰＳにより測定された自転車１３０の走行経路９１０の一例を示す図である。例えば「２０１９年６月１２日」の自転車端末１２０が、（１）８時５０分に自宅でオーナー端末１００とリンク接続をし、（２）９時７分に駐輪場Ａでオーナー端末１００とリンク解除し、（３）１９時１８分に駐輪場Ａでオーナー端末１００とリンク接続をし、（４）１９時２２分に小売店Ｓでオーナー端末１００とリンク接続をしたまま降車し、（５）１９時５７分に小売店Ｓでオーナー端末１００とリンク接続をしたまま乗車し、（６）２０時１０分に公園Ｅでオーナー端末１００とリンク解除し、（７）２０時３１分に公園Ｅでオーナー端末１００とリンク接続をし、（８）２０時４５分に自宅でオーナー端末１００とリンク解除したとすると、自転車１３０の走行経路９１０は図１０（ａ）のように示される。
【００４８】
図１０（ｂ）は、行動パターン結果９００について、図１０（ａ）で示された自転車１３０の走行経路９１０の時系列の一例を示す図である。図１０（ｂ）で示すように、行動パターン結果９００は、日程と、盗難可能性と、時刻と、リンク状態と、場所と、端末位置と、走行距離によって構成される。
【００４９】
「日程」は、行動パターン解析部２２０が、行動パターン結果９００を生成する日を示す。「盗難可能性」は、Ｓ８０６にて、管理サーバ２００は、端末位置情報３１０と自転車位置情報４１０の両者の最新の位置（緯度、経度）を比較した結果を示す。なお、管理サーバ２００が、端末位置情報３１０と自転車位置情報４１０の両者の最新の位置（緯度、経度）を比較した結果が同一であるか否かを確認して、比較した結果が同一である時に、盗難可能性は「なし」とされ、比較した結果が同一でない時は、盗難可能性は「有」とされる。
【００５０】
「時刻」は、オーナー端末１００と自転車端末１２０がリンクの接続をした時、または解除した時、またはオーナー端末１００と自転車端末１２０がリンク接続をしたまま降車をした時、またはオーナー端末１００と自転車端末１２０がリンク接続をしたまま乗車をした時、の時刻を示す。
【００５１】
なお、行動パターン解析部２２０は、自転車端末１２０の移動距離が０ｍになった時点から５秒経過した時まで、自転車端末１２０の移動距離が継続して０ｍのままであった時に、「オーナー端末１００と自転車端末１２０がリンク接続をしたまま降車した」と判定する。
【００５２】
また、行動パターン解析部２２０は、自転車端末１２０の移動距離が０ｍになった時点から５秒経過した時まで自転車端末１２０の移動距離が継続して０ｍのままであった状態から、移動距離が１ｍ以上発生した時に、「オーナー端末１００と自転車端末１２０がリンク接続をしたまま乗車した」と判定する。
【００５３】
「リンク状態」は、オーナー端末１００と自転車端末１２０の間のリンクの接続状態を示す。「場所」は、前記「時刻」の各時点における自転車端末１２０の位置の付近の建物名、店名、公共施設名などの情報を示す。「端末位置」は、前記「時刻」の各時点における自転車端末１２０の緯度および経度を示す。
【００５４】
「走行距離」は、前記「時刻」の各時点までにおける自転車１３０の一日における累積した走行距離を示す。例えば、「２０１９年６月１２日」において、自転車端末１２０が１９時２２分に小売店Ｓに移動した時点での自転車１３０の一日の走行距離は、５．４ｋｍと示される。
【００５５】
このように、行動パターン解析部２２０が、時系列ごとに行動パターン結果９００を生成することにより、管理サーバ２００は、自転車１３０の走行距離と、走行経路内でのオーナー１１０の移動目的地や滞在時間などの行動パターンとを、時間帯ごとに正確に把握することができる。
【００５６】
図１０（ｃ）は、行動パターン結果９００の構成例のうちＧＰＳにより測定された自転車１３０の走行経路９１０の一例を示す図である。例えば「２０１９年６月１３日」の自転車端末１２０が、（１）１５時３０分に自宅でオーナー端末１００とリンク接続をし、（２）１５時５１分に小売店Ｋでオーナー端末１００とリンク解除し、（３）１７時４７分に小売店Ｋでオーナー端末１００とリンク接続をし、（４）１８時２０分に飲食店Ｃでオーナー端末１００とリンク接続をし、（５）１９時４４分に飲食店Ｃでオーナー端末１００とリンク解除し、（６）２０時０２分に自宅でオーナー端末１００とリンク解除したとすると、自転車１３０の走行経路９１０は図１０（ｃ）のように示される。
【００５７】
図１０（ｄ）は、行動パターン結果９００について、図１０（ｃ）で示された自転車１３０の走行経路９１０の時系列の一例を示す図である。図１０（ｄ）で示すように、行動パターン結果９００は、日程と、盗難可能性と、時刻と、リンク状態と、場所と、端末位置と、走行距離によって構成される。これらについては、図１０（ｂ）についてのものと同様である。
【００５８】
また、図１０（ｄ）で示すように、行動パターン結果９００は、有用情報候補１０００を生成する。行動パターン解析部２２０は、図１０（ｃ）で示された自転車１３０の走行経路９１０の経路内および経路付近での、例えば健康に関する情報や、飲食店に関する情報や、交通に関する情報等を有用情報候補１０００として抽出する。
＜有用情報検索処理＞
図１１は、本発明の一実施の形態における有用情報検索処理の概要を示す図である。管理サーバ２００が、検索結果１１１０を生成する方法について説明する。
【００５９】
まず、Ｓ１１０１にて、管理サーバ２００に含まれる行動パターン記憶部２２１は、Ｓ８０３で行動パターン解析部２２０が生成した行動パターン結果９００を、有用情報検索部２３０に提供する。次に、Ｓ１１０２にて、管理サーバ２００に含まれる有用情報検索部２３０は、行動パターン記憶部２２１が記憶した行動パターン結果９００に基づき有用情報候補１０００をインターネット２３１で検索する。
【００６０】
例えば、行動パターン解析部２２０が、「２０１９年６月１３日」の自転車１３０の走行経路９１０に基づいて有用情報候補１０００を、「図書館Ｌ」とした場合、図書館Ｌまでの距離や、その距離を走行した場合の健康寿命がどれくらい延びるか等をインターネット２３１で検索する。
【００６１】
その後、Ｓ１１０３にて、有用情報検索部２３０は、例えば「健康寿命が1ヶ月延びる」という検索結果１１１０を生成する。
＜有用情報記憶処理＞
図１２は、本発明の一実施の形態における有用情報記憶処理の概要を示す図である。管理サーバ２００が、有用情報１２００を生成および記憶する方法について説明する。
【００６２】
まず、Ｓ１２０１にて、管理サーバ２００に含まれる有用情報記憶部２４０は、Ｓ８０４等で行動パターン解析部２２０が生成した有用情報候補１０００を、有用情報記憶部２４０に提供する。次に、Ｓ１２０２にて、管理サーバ２００に含まれる有用情報検索部２３０は、Ｓ１１０３で有用情報検索部２３０が生成した検索結果１１１０を有用情報記憶部２４０に提供する。
【００６３】
その後、Ｓ１２０３にて、有用情報記憶部２４０は、行動パターン解析部２２０から提供された有用情報候補１０００と、有用情報検索部２３０から提供された検索結果１１１０とに基づいて、有用情報１２００を生成する。次に、Ｓ１２０４にて、有用情報記憶部２４０は、Ｓ１２０３で有用情報記憶部２４０が生成した有用情報１２００を記憶する。
【００６４】
有用情報１２００は、例えば、行動パターン解析部２２０が、「２０１９年６月１３日」の自転車１３０の走行経路９１０に基づいて有用情報候補１０００を、「図書館Ｌ」とした場合、当該有用情報候補１０００（すなわち「図書館Ｌ」）と、有用情報検索部２３０が、図書館Ｌまでの距離や、その距離を走行した場合の健康寿命がどれくらい延びるか等をインターネット２３１で検索して得た検索結果１１１０とに基づいて、生成される。すなわち、有用情報１２００は、例えば「今日は小売店Ｋに行って、８ｋｍ走行しましたね。１ｋｍ圏内の図書館Ｌへ行けば足腰が鍛えられて健康寿命が1ヶ月延びるかもしれません。」というようなメッセージとして表現された情報として生成される。
＜有用情報提供処理＞
図１３は、本発明の一実施の形態における有用情報提供処理の概要を示す図である。管理サーバ２００が、有用情報音声１３００と、有用情報画面１４００とを生成および提供する方法について説明する。
【００６５】
まず、Ｓ１３０１にて、管理サーバ２００に含まれる有用情報記憶部２４０は、Ｓ１２０４で有用情報記憶部２４０が記憶した有用情報１２００を、有用情報提供部２５０に提供する。次に、Ｓ１３０２にて、管理サーバ２００に含まれる有用情報提供部２５０は、Ｓ１３０１で有用情報記憶部２４０から提供された有用情報１２００に基づいて、有用情報音声１３００を生成する。
【００６６】
有用情報音声１３００は、例えば、「今日は小売店Ｋに行って、８ｋｍ走行しましたね。１ｋｍ圏内の図書館Ｌへ行けば足腰が鍛えられて健康寿命が1ヶ月延びるかもしれません。」というようなメッセージを音声として表現されたデータ情報として生成される。なお、音声のデータは、例えばＭＰ３データ等とできる。
【００６７】
次に、Ｓ１３０３にて、管理サーバ２００は、オーナー端末１００と自転車端末１２０とがリンク接続されているか否かを確認する。リンク状態がＯｎの時は、管理サーバ２００はＳ１３０４の工程へ進行する。リンク状態がＯｆｆの時は、管理サーバ２００はＳ１３０６の工程へ進行する。
【００６８】
Ｓ１３０４にて、有用情報提供部２５０は、Ｓ１３０２で生成された有用情報音声１３００を、オーナー端末１００に送信する。次に、Ｓ１３０５にて、オーナー端末１００は、Ｓ１３０４で有用情報提供部２５０から送信された有用情報音声１３００を再生する。なお、オーナー端末１００が有用情報音声１３００を再生させる方法は特に限定されない。
【００６９】
また、Ｓ１３０６にて、有用情報提供部２５０は、Ｓ１３０１で有用情報記憶部２４０から提供された有用情報１２００に基づいて、有用情報画面１４００を生成する。次に、Ｓ１３０７にて、有用情報提供部２５０は、Ｓ１３０６で生成された有用情報画面１４００を、オーナー端末１００に送信する。その後、Ｓ１３０８にて、オーナー端末１００は、Ｓ１３０７で有用情報提供部２５０から送信された有用情報画面１４００を表示する。なお、オーナー端末１００が有用情報画面１４００を表示させる方法は特に限定されない。
＜有用情報画面＞
図１４は、本発明の一実施の形態におけるオーナー端末１００に有用情報画面１４００が表示されている様子を示す概要図である。
【００７０】
図１４（ａ）乃至（ｃ）で示すように、オーナー端末１００は、有用情報画面１４００を、オーナー端末１００のディスプレイ１０１に表示させる。なお、有用情報画面１４００は、例えば、自転車端末１２０の行動パターン結果９００に基づく、任意の期間（週間や月間など）の日程における自転車１３０の総走行距離のランキングや、リンク解除した場所の回数のランキングや、有用情報１２００の内容を言語表示したものにより構成される。
＜盗難情報提供処理＞
図１５は、本発明の一実施の形態における盗難情報提供処理の概要を示す図である。管理サーバ２００が、盗難情報音声１５００と、盗難情報画面１６００とを生成および提供する方法について説明する。
【００７１】
まず、Ｓ１５０１にて、管理サーバ２００に含まれる行動パターン記憶部２２１は、Ｓ９０３で行動パターン記憶部２２１が記憶した行動パターン結果９００を、盗難情報提供部２６０に提供する。次に、Ｓ１５０２にて、管理サーバ２００に含まれる盗難情報提供部２６０は、Ｓ１５０１で行動パターン記憶部２２１から提供された行動パターン結果９００に基づいて、盗難情報音声１５００を生成する。
【００７２】
盗難情報音声１５００は、例えば、「盗難のおそれがあります！」というようなメッセージを音声として表現されたデータ情報として生成される。なお、音声のデータは、例えばＭＰ３データ等とできる。
【００７３】
Ｓ１５０３にて、盗難情報提供部２６０は、Ｓ１５０２で生成された盗難情報音声１４００を、オーナー端末１００に送信する。次に、Ｓ１５０４にて、オーナー端末１００は、Ｓ１５０３で盗難情報提供部２６０から送信された盗難情報音声１５００を再生する。なお、オーナー端末１００が盗難情報音声１５００を再生させる方法は特に限定されない。
【００７４】
また、Ｓ１５０５にて、盗難情報提供部２６０は、Ｓ１５０１で行動パターン記憶部２２１から提供された行動パターン結果９００に基づいて、盗難情報画面１６００を生成する。次に、Ｓ１５０６にて、盗難情報提供部２６０は、Ｓ１５０５で生成された盗難情報画面１６００を、オーナー端末１００に送信する。その後、Ｓ１５０７にて、オーナー端末１００は、Ｓ１５０６で盗難情報提供部２６０から送信された盗難情報画面１６００を表示する。なお、オーナー端末１００が盗難情報画面１６００を表示させる方法は特に限定されない。
＜盗難情報画面＞
図１６は、本発明の一実施の形態におけるオーナー端末１００に盗難情報画面１６００が表示されている様子を示す概要図である。
【００７５】
図１６で示すように、オーナー端末１００は、盗難情報画面１６００を、オーナー端末１００のディスプレイ１０１に表示させる。なお、盗難情報画面１６００は、盗難可能性が「有」となっている状態の自転車端末１２０の行動パターン結果９００に基づく、自転車端末１２０の任意の時間の位置を示す地図や、緯度および経度や、直近のオーナー端末１００とのリンクを解除した時刻などにより構成される。
＜本実施の形態の効果＞
【００７６】
以上説明した本発明の実施の形態によれば、自転車１３０とスマートフォン等のオーナー端末１００を自動的にリンクさせることで「自転車乗車中」と「自転車降車中」とを判別し、自転車乗車距離や経路パターンなどのデータを計測および蓄積して、インターネットや人工知能と連携させることで、例えば「忙しくてジムに通えない人に食事やトレーニングの専門家によるアドバイスを容易に提供すること」等の有用情報１２００の提供ができる。
【００７７】
また、自転車端末１２０とのリンクが解除された状態に盗難可能性が有るとして、自転車端末１２０の位置を追跡および把握するため、自転車の盗難が発生する事態を極力回避すると共に、盗難が発生した場合の早急な対応ができる。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。
たとえば、ユーザ端末は、スマートフォン以外にも、ノート型ＰＣや、タブレット端末等の様々な形態のユーザ端末を全て含むものである。
【００７９】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００８０】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００８１】
１００…オーナー端末
１１０…オーナー
１２０…自転車端末
１３０…自転車
１４０…人工衛星
２００…管理サーバ
２１１…オーナー情報記憶部
２１２…端末位置情報記憶部
２１３…自転車情報記憶部
２１４…自転車位置情報記憶部
２２０…行動パターン解析部
２３０…有用情報検索部
２４０…有用情報記憶部
２５０…有用情報提供部
【図１】
2020201814.tif 000003
【図２】
2020201814.tif 000004
【図３】
2020201814.tif 000005
【図４】
2020201814.tif 000006
【図５】
2020201814.tif 000007
【図６】
2020201814.tif 000008
【図７】
2020201814.tif 000009
【図８】
2020201814.tif 000010
【図９】
2020201814.tif 000011
【図１０】
2020201814.tif 000012
【図１１】
2020201814.tif 000013
【図１２】
2020201814.tif 000014
【図１３】
2020201814.tif 000015
【図１４】
2020201814.tif 000016
【図１５】
2020201814.tif 000017
【図１６】
2020201814.tif 000018
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
オーナー端末と、自転車端末と、前記オーナー端末および自転車端末とネットワークを介して無線通信接続される管理サーバとを有する自転車情報提供システムであって、
前記管理サーバは、前記オーナー端末と前記自転車端末とがリンク接続されているか否かを確認して、前記オーナー端末と前記自転車端末とがリンク接続されていると確認した場合、自転車位置情報により経路測定を開始し行動パターン結果および有用情報候補を生成し、前記オーナー端末と前記自転車端末とがリンク接続されていないと確認した場合、端末位置情報と前記自転車位置情報の両者の最新の位置を比較する、行動パターン解析部を有し、
前記行動パターン解析部は、前記端末位置情報と前記自転車位置情報の両者の最新の位置を比較した結果が同一であると確認した場合、前記自転車位置情報により経路測定を開始し、行動パターン結果および有用情報候補を生成し、前記端末位置情報と前記自転車位置情報の両者の最新の位置を比較した結果が同一でないと確認した場合、盗難可能性を「有」と更新して行動パターン結果を生成し、
前記管理サーバは、前記行動パターン解析部が生成した行動パターン結果および有用情報候補を記憶する行動パターン記憶部を有し、
前記管理サーバは、前記行動パターン記憶部が記憶した行動パターン結果および有用情報候補から有用情報を検索する有用情報検索部を有し、
前記管理サーバは、前記有用情報検索部が検索した検索結果および前記行動パターン記憶部が記憶した有用情報候補から有用情報を生成および記憶する有用情報記憶部を有し、
前記管理サーバは、前記有用情報記憶部が記憶した有用情報から有用情報音声および有用情報画面を生成し、オーナー端末に前記有用情報音声を再生および前記有用情報画面を表示させる有用情報提供部を有する、
自転車情報提供システム。
【請求項２】
請求項１に記載の自転車情報提供システムにおいて、
前記管理サーバは、前記オーナー端末からオーナー情報を取得および記憶するオーナー情報記憶部を有し、
前記管理サーバは、前記オーナー端末から端末位置情報を取得および記憶する端末位置情報記憶部を有し、
前記管理サーバは、前記自転車端末から自転車情報を取得および記憶する自転車情報記憶部を有し、
前記管理サーバは、前記自転車端末から自転車位置情報を取得および記憶する自転車位置情報記憶部を有する、
自転車情報提供システム。
【請求項３】
請求項１に記載の自転車情報提供システムにおいて、
前記管理サーバは、前記行動パターン記憶部が記憶した行動パターン結果から盗難情報音声および盗難情報画面を生成し、オーナー端末に前記盗難情報音声を再生および前記盗難情報画面を表示させる盗難情報提供部を有する、
自転車情報提供システム。